(57)【特許請求の範囲】
【請求項１】
少なくとも生体インピーダンスの測定を行なうことができる生体情報取得手段と、前記生体情報取得手段で得られた取得情報を処理して生体情報を出力する生体情報処理手段と、生体情報を送信する生体情報送信手段とを備えた生体情報取得装置と、前記生体情報取得装置に電源を供給する個別電源供給手段と、前記生体情報送信手段で送信された生体情報を受信する生体情報受信手段と、表示を行う表示手段と、操作信号を送信する操作送信手段と、前記生体情報受信手段で受信した生体情報を前記表示手段に表示を行うように出力し前記操作送信手段に操作信号を送信するように出力する遠隔操作制御手段とを備えた遠隔操作装置と、前記操作送信手段で送信された操作信号を受信する操作受信手段を備えた衛生洗浄装置と、前記衛生洗浄装置に商用電源を供給する商用電源供給手段とからなり、前記衛生洗浄装置が洗浄処理を行っているときに生体インピーダンスの測定を開始するときは洗浄処理を停止する機能を有し、生体インピーダンスの測定を行っているときは洗浄処理をすることができないことを特徴とした生体情報測定装置。
【請求項２】
衛生洗浄装置は、個別電源供給手段による電源を入り切りする個別電源入切手段と操作受信手段で操作信号を受信すると、前記個別電源入切手段に個別電源入りまたは切りの出力をさせる操作制御手段とを有することを特徴とした請求項１記載の生体情報測定装置。
【請求項３】
生体情報送信手段と操作送信手段の送信信号は、異なる識別コードを有することを特徴とした請求項２に記載の生体情報測定装置。
【請求項４】
生体情報送信手段の識別コードを変更する生体情報送信識別コード変更手段と、生体情報受信手段の識別コードを変更する生体情報受信識別コード変更手段と、操作送信手段の識別コードを変更する操作送信識別コード変更手段と、操作受信手段の識別コードを変更する操作受信識別コード変更手段を有し、識別コードを同時に変更することを特徴とした請求項３記載の生体情報測定装置。
【請求項５】
遠隔操作装置は、生体情報受信手段への電源を入り切りする受信電源入切手段を有し、生体情報受信手段で生体情報を受信すると遠隔操作制御手段が前記受信電源入切手段に受信電源切りの出力をさせることを特徴とした請求項１〜４のいずれか１項に記載の生体情報測定装置。
【請求項６】
遠隔操作装置は、生体情報受信手段への電源の入り時間を計時する入時間計時手段を有し、遠隔操作制御手段は、前記入時間計時手段で計時される時間の経過後に前記受信電源入切手段に受信電源切りの出力をさせることを特徴とした請求項１〜５のいずれか１項に記載の生体情報測定装置。
【請求項７】
遠隔操作装置は、生体情報受信手段による生体情報の受信と操作送信手段による操作信号の送信との間に一定時間を設ける遅延時間計時手段を有し、遠隔操作制御手段は前記遅延時間計時手段で計時される時間の経過後に操作送信手段に操作信号送信の出力をすることを特徴とした請求項１〜６のいずれか１項に記載の生体情報測定装置。
【請求項８】
生体情報送信手段は、生体情報を定期的に送信することを特徴とした請求項１〜４のいずれか１項に記載の生体情報測定装置。
【発明の詳細な説明】
【０００１】
【発明の属する技術分野】
本発明は、衛生洗浄装置に組み込まれる生体情報測定装置に関するものである。
【０００２】
【従来の技術】
従来この種の生体情報測定装置は、電源として電池を用いるのが一般的であり、電池消耗時には電池交換が必要であった。
【０００３】
図９は従来の生体情報測定装置のブロック図である。従来例を体脂肪率を測定する体脂肪率計で説明する。図において、生体情報装置１４は、体内のインピーダンスを測定する生体情報取得手段１６と、生体情報取得手段１６で得られたインピーダンスより体脂肪率を演算する生体情報処理手段１５と、体脂肪率を表示する表示手段１１で構成されていた。
【０００４】
体脂肪率系においては、被測定者の生体に高周波の微弱電流を流し、そのとき生体インピーダンスにより生じる電位差を検出することにより、生体インピーダンスの算出を行う。この生体インピーダンスと被測定者の身長、体重、性別等の身体パラメータを基に体脂肪率を演算し、これをＬＣＤに表示していた。
【０００５】
【発明が解決しようとする課題】
しかしながら、特開２０００−３３３９２７公報で示されるように衛生洗浄装置などに生体情報測定装置を内臓する場合、生体情報測定装置の電源として電池を用いると電池消耗時に電池交換が必要で使用者にとって使い勝手の悪いものとなってしまうという課題を有していた。
【０００６】
本発明は、前記従来の課題を解決するもので、生体情報測定装置の電源を商用電源より供給することにより電池交換をなくすと共に、商用電源から確実に絶縁することにより、生体に不必要な電気を流す危険のない、使い勝手の良い生体情報測定装置の提供を目的とする。
【０００７】
【課題を解決するための手段】
前記従来の課題を解決するために、本発明の生体情報測定装置は、生体に電気を流す生体情報取得装置と、商用電源により動作する衛生洗浄装置とをワイヤレスで情報伝達を行うことにより電気的に絶縁する構成としたものである。
【０００８】
【発明の実施の形態】
請求項１に記載の発明は、少なくとも生体インピーダンスの測定を行なうことができる生体情報取得手段と生体情報取得手段で得られた取得情報を処理して生体情報を出力する生体情報処理手段と生体情報を送信する生体情報送信手段とを備えた生体情報取得装置と、生体情報取得装置に電源を供給する個別電源供給手段と、生体情報送信手段で送信された生体情報を受信する生体情報受信手段と表示を行う表示手段と操作信号を送信する操作送信手段と生体情報受信手段で受信した生体情報を表示手段に表示を行うように出力し操作送信手段に操作信号を送信するように出力する遠隔操作制御手段とを備えた遠隔操作装置と、操作送信手段で送信された操作信号を受信する操作受信手段を備えた衛生洗浄装置と、衛生洗浄装置に商用電源を供給する商用電源供給手段を有し、衛生洗浄装置が洗浄処理を行っているときに生体インピーダンスの測定を開始するときは洗浄処理を停止する機能を有し、生体インピーダンスの測定を行っているときは洗浄処理をすることができないことにより、正確な測定を行うことができる。
【０００９】
請求項２に記載の発明は、特に、請求項１に記載の衛生洗浄装置は個別電源供給手段による電源を入り切りする個別電源入切手段と操作受信手段で操作信号を受信すると個別電源入切手段に出力する操作制御手段とを有することで、生体情報を取得するとき以外は生体情報取得装置への電源を供給せず、消費電力の無駄を省くことができる。
【００１０】
請求項３に記載の発明は、特に、請求項２に記載の生体情報送信手段と操作送信手段の送信信号は異なる識別コードを有することで、遠隔操作装置の送信を遠隔操作装置が誤って受信することがなく、また生体情報測定装置の送信を衛生洗浄装置が誤って受信することをなくすことができる。
【００１１】
請求項４に記載の発明は、特に、請求項３に記載の生体情報送信手段の識別コードを変更する生体情報送信識別コード変更手段と生体情報受信手段の識別コードを変更する生体情報受信識別コード変更手段と操作送信手段の識別コードを変更する操作送信識別コード変更手段と操作受信手段の識別コードを変更する操作受信識別コード変更手段を有し、識別コードを同時に変更することにより、他の生体情報測定装置による送信を誤受信することなく、正確な情報伝達ができ、容易に変更することができる。
【００１２】
請求項５に記載の発明は、特に、請求項１〜４のいずれか１項に記載の遠隔操作装置を、生体情報受信手段への電源を入り切りする受信電源入切手段を有し、生体情報受信手段で生体情報を受信すると遠隔操作制御手段が受信電源入切手段に出力するように構成したことにより、遠隔操作装置による測定開始信号が送信されると生体情報受信手段への電源供給を行うようにし、その後、生体情報送信手段からの生体情報（例えば生体インピーダンスデータ）を生体情報受信手段が受信すると、受信電源入切手段により生体情報受信手段への電源を遮断することで、受信する可能性のないときに電源を供給してしまうことを防ぐこうとができる。
【００１３】
請求項６に記載の発明は、特に、請求項１〜５のいずれか１項に記載の遠隔操作装置を、生体情報受信手段への電源の入り時間を計時する入時間計時手段を有し、遠隔操作制御手段は、入時間計時手段で計時される時間の経過後に受信電源入切手段に出力するように構成したことにより、生体情報の受信に失敗したときでも、操作送信手段から測定開始信号が送信された時点から入時間計時手段によって一定時間（例えば２０秒）計った後に受信電源入切手段に出力し、生体情報受信手段への電源を遮断することで消費電力の無駄を省くことができる。
【００１４】
請求項７に記載の発明は、特に、請求項１〜６のいずれか１項に記載の遠隔操作装置を、生体情報受信手段による生体情報の受信と操作送信手段による操作信号の送信との間に一定時間を設ける遅延時間計時手段を有し、遠隔操作制御手段は遅延時間計時手段で計時される時間の経過後に操作送信手段に出力するようにしたことにより、生体情報の送信が終了した後に、操作信号を送信することになるので、混信を防ぐことができる。
【００１５】
請求項８に記載の発明は、特に、請求項１〜４のいずれか１項に記載の生体情報送信手段を、生体情報を定期的に送信するように構成したことにより、生体情報取得装置で生体情報が正確に測定されていることの判定を行う必要がなく、使用者が表示手段により測定値が安定していることを視覚的に容易に判断することができる。
【００１７】
【実施例】
以下、本発明の実施例について図１〜８を参照しながら生体情報測定装置を体脂肪率計として説明する。
【００１８】
（実施例１）
図１、図２は、本発明の第１の実施例における外観図およびブロック図を示すものである。図１において、１は衛生洗浄装置、２は便座、３は便蓋、４は生体情報取得用手電極、５は生体情報取得用おしり電極、６は生体情報送信手段、７は操作受信手段、８は遠隔操作装置、９は操作送信手段、１０は生体情報受信手段、１１は表示手段、１２は商用電源供給手段である。
【００１９】
図２において、生体情報取得装置１４は、生体情報取得手段１６と前記生体情報取得手段１６で得られた取得情報を処理して生体情報を出力する生体情報処理手段１５と生体情報を送信する生体情報送信手段６とで構成されており、この生体情報取得装置１４に商用電源から絶縁された電源を供給するための個別電源供給手段１３を備えている。また、遠隔操作装置８は、生体情報送信手段６で送信された生体情報を受信する生体情報受信手段１０と、表示を行う表示手段１１と、操作信号を送信する操作送信手段９と、生体情報受信手段１０で受信した生体情報を表示手段１１に表示を行うように出力し操作送信手段９に操作信号を送信するように出力する遠隔操作制御手段１７とから構成されている。
【００２０】
次に、上記構成における動作を説明する。まず、使用者が便座２に着座した後、遠隔操作装置８の測定開始スイッチ（図示せず）を操作すると、遠隔操作装置８は、生体情報受信手段１０による生体情報送信手段からの信号受信の受付状態に入る。一方、生体情報取得装置１４は、生体情報処理手段１５により生体インピーダンスの測定処理を常に行っており、測定値が完了したら生体情報送信手段により生体インピーダンスデータを送信している。但し、生体のインピーダンスには特定の範囲が存在するので、この範囲内でなければ送信は行わない。。
【００２１】
なお、使用者は測定開始スイッチ（図示せず）を操作してから生体情報取得用手電極４および生体情報取得用おしり電極５に体を接触させ、測定値が安定するように姿勢を維持する必要がある。従って、測定開始操作直後は安定した生体インピーダンスは測定できないので、測定開始操作から一定時間の遅延を行った後に、生体情報受信手段１０による生体情報送信手段からの生体インピーダンスデータの受信を行わないようにしている。
【００２２】
次に、遠隔操作装置８では、受信した生体インピーダンスを基に遠隔操作制御手段１７が体脂肪率の演算を行い、体脂肪率を表示手段１１にて表示する。使用者は表示手段１１に体脂肪率が表示されることで、測定が終了したことを認識できる。最後に操作送信手段９は生体情報受信手段１０による生体情報送信手段からの生体インピーダンスデータの受付を禁止し、体脂肪測定が終了する。
【００２３】
上記構成にすることにより、生体に電気を流す生体情報取得装置１４と、商用電源とを分離することになり、完全に絶縁されるので誤って生体に商用電源から電気が漏れることがなくなる。
【００２４】
また、上記構成において、生体情報取得装置１４が生体インピーダンスの測定を開始すると、１秒間隔で遠隔操作装置８へ生体インピーダンスデータを送信し、遠隔操作装置８は、受信した生体インピーダンスデータから体脂肪演算を行い、体脂肪率を表示手段１１にて表示すように構成すると、１秒間隔で表示が更新される。
【００２５】
これにより、被測定者の姿勢等に大きく影響される生体インピーダンスの真の測定値を生体情報取得装置１４が自動的に判別する必要がなく、使用者が表示手段により測定値が安定していることを視覚的に容易に判断することができる。
【００２６】
（実施例２）
図３は本発明の第２の実施例におけるブロック図を示すものである。
【００２７】
実施例１と異なるところは操作制御手段１８と個別電源入切手段１９を設けた点である。次に、上記構成における動作を説明する。
【００２８】
まず、使用者が便座２に着座した後、遠隔操作装置８の測定開始スイッチ（図示せず）を操作すると、遠隔操作装置８から送信された測定開始信号を衛生洗浄装置１が受信する。このとき個別電源入切手段１９により個別電源供給手段１３から生体情報取得装置１４への電源供給が開始され、生体情報取得装置１４は自動的に生体情報処理手段１５が生体インピーダンスの測定処理を開始する。使用者は生体情報取得用手電極４および生体情報取得用おしり電極５に体を接触させ、測定値が安定するように姿勢を維持する。生体情報処理手段１５は生体情報取得手段１６からの測定値が安定した時点で生体情報送信手段６により生体情報受信手段１０へ生体インピーダンスを送信して測定を終了する。
【００２９】
なお、実施例１と同様に、測定開始操作直後は安定した生体インピーダンスは測定できないので、測定開始操作から一定時間の遅延を行った後に、生体情報の測定を開始するようにしている。
【００３０】
一方、遠隔操作装置８では、受信した生体インピーダンスデータを基に遠隔操作制御手段１７が体脂肪演算を行い、体脂肪率を表示手段１１にて表示する。使用者は表示手段１１に体脂肪率が表示されることで、測定が終了したことを認識できる。
【００３１】
最後に操作送信手段９は測定完了信号を操作受信手段７に送信し、体脂肪測定が終了する。衛生洗浄装置１は、測定完了信号の受信に従い操作制御手段１８を介して個別電源入切手段１９により個別電源供給手段１３から生体情報取得装置１４への電源供給を遮断する。
【００３２】
これにより、生体情報の測定を行わないときには、生体情報取得装置１４の電源を遮断することで待機電力が削減できる。
【００３３】
更に、生体情報送信手段６から生体情報受信手段１０への送信信号と、操作送信手段９から衛生操作受信手段７への送信信号とで、異なる識別コードを付加することで、受信側は送信側が生体情報送信手段６であるか操作送信手段９であるかの判別ができるため、遠隔操作装置８の送信を遠隔操作装置８が誤って受信することを防止でき、また生体情報取得装置１４の送信を衛生洗浄装置１が誤って受信することを防止できるようにしている。
【００３４】
（実施例３）
図４は本発明の第３の実施例におけるブロック図を示すものである。
【００３５】
実施例２と異なる点は、送信信号の識別コードを変更できるように、生体情報送信手段６の識別コードを変更する生体情報送信識別コード変更手段２０と、生体情報受信手段１０の識別コードを変更する生体情報受信識別コード変更手段２１と、操作送信手段９の識別コードを変更する操作送信識別コード変更手段２２と、操作受信手段７の識別コードを変更する操作受信識別コード変更手段２３を設けた点である。
【００３６】
本実施例では、生体情報取得装置１４と遠隔操作装置８と衛生洗浄装置１のそれぞれの基板に設けたジャンパー線（図示せず）を切断する事により、それぞれの識別コードを変更できるようにしている。これにより、生体情報測定装置が隣接して２台以上設置されていても、それぞれの識別コードを異なるように設定することで互いに他の生体情報測定装置による送信を誤受信することなく正確な情報伝達ができ、生体情報測定装置を設置した後でも容易に変更することができる。
【００３７】
なお、識別コードの変更は、スイッチによるものでも良いし、不揮発性メモリーを用いて予め設定しておく、或いは、生体情報送信手段６の識別コードのみスイッチ等で切替可能としておいて、生体情報受信手段１０、操作送信手段９、操作受信手段７の識別コードは生体情報送信手段６からの送信信号に含まれる識別コードに準じて変更するように構成することでも実現できる。
【００３８】
（実施例４）
図５、図６は本発明の第４の実施例における遠隔操作装置のブロック図を示すものである。
【００３９】
図５において、遠隔操作装置８による測定開始信号が送信されると生体情報受信手段１０への電源供給を行うようにし、その後、生体情報送信手段６からの生体インピーダンスデータを生体情報受信手段１０が受信すると、受信電源入切手段２４により生体情報受信手段１０への電源を遮断するように構成されている。
【００４０】
これにより、受信する可能性のないときに電源を供給してしまうことを防ぐことができ、消費電力の無駄を省くことができる。
【００４１】
更に、図６に示すように、入時間計時手段２５を設け、操作送信手段９から測定開始信号が送信された時点から入時間計時手段２５によって２０秒計った後に受信電源入切手段２４に出力し、生体情報受信手段１０への電源を遮断するようにしている。
【００４２】
一般に生体インピーダンスの測定値が安定して、測定された生体インピーダンスデータの送信まで、測定開始から２０秒以内で完了できる。従って、定開始信号が送信された時点から２０秒後に、生体情報受信手段１０への電源を遮断するようにすることで、たとえ生体情報送信手段６からの信号を生体情報受信手段１０で受信できなくても一定時間で生体情報受信手段１０の電源が遮断されるので消費電力の無駄を省くことができる。
【００４３】
（実施例５）
図７は本発明の第５の実施例における遠隔操作装置のブロック図を示すものである。
【００４４】
ここで、生体情報送信手段６は生体情報受信手段１０へ生体インピーダンスデータを送信する際、受信を確実にするために同じデータを２回連続で送信し、生体情報受信手段１０は１回目の生体インピーダンスデータを受信すると、遅延時間計時手段２６による所定の遅延時間を計時した後、操作送信手段９が測定完了信号を操作受信手段７に送信する。なお、２回の送信に要する時間は、約２００ｍｓであり、本実施例では遅延時間計時手段２６により計時される遅延時間を２００ｍｓより十分長い５００ｍｓとしている。
【００４５】
これにより、生体インピーダンスデータの２回目の送信が終了した後に、操作信号を送信することになるので、測定完了信号と生体インピーダンスデータの２回目の送信信号との混信を防ぐことができる。
【００４６】
なお、本実施例では、生体インピーダンスデータの送信回数を２回、遅延時間を５００ｍｓとしているが、これに限定されるものではないことは言うまでもない。
【００４７】
（実施例６）
図８は本発明の第６の実施例における衛生洗浄装置のブロック図を示すものである。
【００４８】
ここで、衛生洗浄装置１が洗浄処理を行っているときに、操作受信手段７が生体インピーダンスの測定開始信号を受信すると、まず操作制御手段１８から洗浄処理手段２７へ出力を行うことで洗浄処理を停止させ、その後、個別電源入切手段１９により生体情報取得装置１４への電源供給を行うことで生体インピーダンスの測定を開始する。また、生体インピーダンスの測定を行っているときは、操作制御手段１８が洗浄処理手段２７へ出力することで洗浄処理に移行することができないようにする。このように、洗浄手段による洗浄と生体情報取得装置による生体情報の取得を同時に行わないように構成したことにより、体に洗浄水が付着することによる測定への影響を防止し、正確な測定を行うことができる。
【００４９】
【発明の効果】
以上のように、本発明によれば、電気回路上の不具合が生じることによる、生体に不必要な電気を流す危険の可能性をなくすことができる。
【図面の簡単な説明】
【図１】本発明の実施例１における生体情報測定装置の外観図
【図２】本発明の実施例１における生体情報測定装置のブロック図
【図３】本発明の実施例２における生体情報測定装置のブロック図
【図４】本発明の実施例３における生体情報測定装置のブロック図
【図５】本発明の実施例４における生体情報測定装置の遠隔操作装置のブロック図
【図６】本発明の実施例４における生体情報測定装置の遠隔操作装置のブロック図
【図７】本発明の実施例５における生体情報測定装置の遠隔操作装置のブロック図
【図８】本発明の実施例６における生体情報測定装置の衛生洗浄装置のブロック図
【図９】従来の生体情報測定装置のブロック図
【符号の説明】
１  衛生洗浄装置
６  生体情報送信手段
７  操作受信手段
８  遠隔操作装置
９  操作送信手段
１０  生体情報受信手段
１１  表示手段
１２  商用電源供給手段
１３  個別電源供給手段
１４  生体情報取得装置
１５  生体情報処理手段
１６  生体情報取得手段
１７  遠隔操作制御手段
１８  操作制御手段
１９  個別電源入切手段
２０  生体情報送信識別コード変更手段
２１  生体情報受信識別コード変更手段
２２  操作送信識別コード変更手段
２３  操作受信識別コード変更手段
２４  受信電源入切手段
２５  入時間計時手段
２６  遅延時間計時手段
２７  洗浄手段
【図１】
0003915495.tif 000002
【図２】
0003915495.tif 000003
【図３】
0003915495.tif 000004
【図４】
0003915495.tif 000005
【図５】
0003915495.tif 000006
【図６】
0003915495.tif 000007
【図７】
0003915495.tif 000008
【図８】
0003915495.tif 000009
【図９】
0003915495.tif 000010